(57)【特許請求の範囲】
【請求項１】
缶本体の外周面上部の径方向両側に帽子形の把手取付金具がその開放側の周縁部で溶接固着され、蔓形把手の両端のフック部が各々把手取付金具の頂面に設けた差込み穴に挿嵌係止された金属製オープンペール缶であって、
缶本体は、上端の開口周縁が外側へ巻き込むカール部を形成し、少なくとも前記把手取付金具の固着位置よりも下位側が下方へ縮径すると共に、その下位側には周方向に沿って外側へ膨出する環状ビード部を有さず、
該把手取付金具の下端部と缶本体の外周面との間に隙間が構成され、
緩衝カバー部に係止突片を一体形成した合成樹脂又は合成ゴム成形物からなる緩衝部材が、その係止突片を前記隙間から把手取付金具の内側へ挿嵌することにより、緩衝カバー部が該把手取付金具の下面側を覆うように係着されてなる金属製オープンペール缶。
【請求項２】
缶本体は、前記把手取付金具の固着位置よりも上位側に、周方向に沿って外側へ膨出する環状ビード部を有してなる請求項１に記載の金属製オープンペール缶。
【請求項３】
前記緩衝部材は、緩衝カバー部が湾曲した帯板状をなし、前記係止突片が該緩衝カバー部の片側側縁の中央部より湾曲凹側へ立ち上げ形成されてなる請求項１又は２に記載の金属製オープンペール缶。
【発明の詳細な説明】
【技術分野】
【０００１】
本発明は、燃料油、潤滑油、塗料、インキ、溶剤、接着剤、食用油等の液状製品の天蓋付き容器として汎用される金属製オープンペール缶、特に所謂Ｔ型として缶本体が下方へ縮径した該オープンペール缶に関する。
【背景技術】
【０００２】
従来より、ブリキ、ティンフリースチール、ステンレス鋼等の金属製のオープンペール缶として、図８（ａ）に示すようなラグタイプのオープンペール缶Ｐ１１と、図８（ｂ）に示すようなバンドタイプのオープンペール缶Ｐ１２が汎用されている。前者のラグタイプでは缶蓋２Ａが周縁に設けた多数のラグ２１によって缶本体１の開口縁部に加締めて固定されるのに対し、後者のバンドタイプでは缶蓋２Ｂが断面コ字形の緊締バンド５による締め付けで缶本体１の開口縁部に固定されるという違いはあるが、缶本体１は両タイプで略共通した形態であって、上部に蔓形把手３が取り付けられている。なお、ラグタイプの缶蓋２Ａには図示の如く注出口２２を設けるのが普通である。
【０００３】
一般的に、上記両タイプの缶本体１は、金属板を円筒状に曲げ加工して端部同士をシーム溶接して得られる胴部１１の下端に、円板状の地板１２を巻締め固着したものであり、その開口周縁が外側へ巻き込むカール部〔図９（ｂ）の符号１３〕をなすと共に、該胴部１１の上部側には周方向に沿って外側へ膨出する上下２本の環状ビード部１１ａ，１１ｂが形成されている。そして、上側の環状ビード部１１ａのやや下位の径方向両側に、イヤー（耳）と称される帽子形の把手取付金具４がスポット溶接等で固着されている。蔓形把手３は、略半円弧状に湾曲した針金材３１の両端フック部３１ａを各々把手取付金具４内に挿嵌することで、該缶本体１に対して上下回動自在に取り付けられており、その中間部には木製やプラスチック製の円筒状の握り３２が嵌装されている（特許文献１）。
【０００４】
一方、このようなオープンペール缶には、Ｔ型（テーパペール型）として図示の如く缶本体１の胴部１１が下方へ縮径したものと、Ｓ型（ストレートペール型）として該胴部１１が上下に径変化しないものとがある。そして、前者のＴ型のオープンペール缶では、空状態での搬送や保管に際し、缶本体１と缶蓋２Ａ，２Ｂを別にして各々積み重ねることにより、全体の嵩を減らしてスペース効率を高め得るという利点がある。その缶本体１同士は、図９（ａ）（ｂ）に示すように、胴部１１が下方へ縮径していることを利用して入れ子式に積み重ねるが、その積重ね状態で上位側の缶本体１における下側の環状ビード部１１ｂが下位側の缶本体１における開口周縁のカール部１３上に載る形になる。
【先行技術文献】
【特許文献】
【０００５】
【特許文献１】特開２０１１−１４８５２０号公報(図５，図６）
【発明の概要】
【発明が解決しようとする課題】
【０００６】
しかるに、従来のＴ型のオープンペール缶Ｐ１１，Ｐ１２では、缶本体１同士を図９（ａ）の如く入れ子式に積み重ねても、かなりの嵩高になるため、特にトラック等で搬送する場合に缶数当りの輸送費を抑える上で、積重ね状態の嵩をより低くすることが望まれる。そこで、従来のＴ型のオープンペール缶Ｐ１１，Ｐ１２における缶本体１の下側ビード１１ｂを省いた形態の改良オープンペール缶Ｐ１３とし、その缶本体１同士を入れ子式に積み重ねれば、図１０（ａ）（ｂ）に示すように、上位側の缶本体１における両側の把手取付金具４が下位側の缶本体１における開口周縁のカール部１３上に載る形になり、それだけ積重ね高さを減じることになる。この場合、例えば図９（ａ）に示す従来品の８缶分に略相当する積重ね高さで、改良品では図１０（ａ）に示すように１２缶を積み重ねることができ、同じ高さスペースでの積重ね缶数が約５割増しになるから、従来に比して缶数当りの輸送費を大幅に低減でき、また保管時のスペース効率も格段に向上する。
【０００７】
ところが、上記改良品の改良オープンペール缶Ｐ１３では、缶本体１同士を入れ子式に積み重ねると、缶重量が上位側から順次に両側の把手取付金具４を介して下位の缶本体１のカール部１３に負荷するため、その負荷重量が増す下位の缶本体１ほど、カール部１３における把手取付金具４の接当位置に凹み変形を生じ易くなる。また、その積重ね作業時にも、下位の缶本体１のカール部１３に上位の缶本体１の把手取付金具４が衝当することで、該カール部１３に凹みや傷が発生する懸念がある。そして、このようなカール部１３に凹みや傷のある缶本体１を用いると、液状製品を収容して缶蓋２Ａ，２Ｂ（図８参照）を取り付けても封止が不完全になり、搬送等の取扱い中に液漏れを生じることになる。
【０００８】
本発明は、上述の事情に鑑みて、空状態で缶本体同士を入れ子式に積重ね可能なＴ型の金属製オープンペール缶として、従来品に比して積重ね状態の嵩を大幅に低減できる上、その積重ね荷重及び積重ね時の衝当による凹みや傷の発生を未然に防止し得るものを提供することを目的としている。
【課題を解決するための手段】
【０００９】
上記目的を達成するための手段を図面の参照符号を付して示せば、請求項１の発明は、缶本体１の外周面上部の径方向両側に帽子形の把手取付金具４がその開放側の周縁部で溶接固着され、蔓形把手３の両端のフック部３１ａが各々把手取付金具４の頂面に設けた差込み穴４１に挿嵌係止された金属製オープンペール缶Ｐ１，Ｐ２であって、缶本体１は、上端の開口周縁が外側へ巻き込むカール部１３を形成し、少なくとも把手取付金具４の固着位置よりも下位側が下方へ縮径すると共に、その下位側には周方向に沿って外側へ膨出する環状ビード部を有さず、該把手取付金具４の下端部と缶本体１の外周面との間に隙間ｔが構成され、緩衝カバー部５１に係止突片５２，５３を一体形成した合成樹脂又は合成ゴム成形物からなる緩衝部材５が、その係止突片５２，５３を隙間ｔから把手取付金具４の内側へ挿嵌することにより、緩衝カバー部５１が該把手取付金具４の下面側を覆うように係着されてなるものとしている。
【００１０】
請求項２の発明は、上記請求項１の金属製オープンペール缶Ｐ１，Ｐ２において、缶本体１は、把手取付金具４の固着位置よりも上位側に、周方向に沿って外側へ膨出する環状ビード部１１ａを有してなるものとしている。
【００１１】
請求項３の発明は、上記請求項１又は２の金属製オープンペール缶において、緩衝部材５は、緩衝カバー部５１が湾曲した帯板状をなし、係止突片５２，５３が該緩衝カバー部５１の片側側縁の中央部より湾曲凹側へ立ち上げ形成されてなるものとしている。
【発明の効果】
【００１２】
次に本発明の効果を図面の参照符号を付して説明する。まず、請求項１の発明に係る金属製オープンペール缶Ｐ１，Ｐ２では、空状態で缶本体１同士を入れ子式に積み重ねた際、缶重量が上位側から順次に両側の把手取付金具４を介して下位の缶本体１のカール部１３に負荷するが、各把手取付金具４の下面側とカール部１３との間に緩衝部材５の緩衝カバー部５１が介在するから、該カール部１３の凹み変形が防止されると共に、その積重ね作業時にも把手取付金具４が下位の缶本体１のカール部１３に直接に衝当することによる凹みや傷の発生を未然に防止できる。
【００１３】
請求項２の発明によれば、缶本体１は、把手取付金具４の固着位置よりも上位側に環状ビード部１１ａを有するから、その補強作用で管体としての強度が向上する。この環状ビード部１１ａは、上端のカール部１３と把手取付金具４との間に位置するから、缶本体１同士の入れ子式の積重ね状態で他と接触せずに外側へ露呈することになる。
【００１４】
請求項３の発明によれば、緩衝部材５は、湾曲した帯板状の緩衝カバー部５１に、その片側側縁の中央部より係止突片５２，５３が湾曲凹側へ立ち上げ形成されているから、該係止突片５２，５３を把手取付金具４の下端部と缶本体１の外周面との隙間ｔに挿嵌するだけで容易に装着できると共に、緩衝カバー部５１が把手取付金具４の下面側に沿って配置するから、積重ね作業時に下位の缶本体１の内側へ上位の缶本体を多少傾いた姿勢で落とし込んでも、把手取付金具４が直接に下位の缶本体１のカール部１３に衝当する懸念はなく、該カール部１３の凹みや傷の発生をより確実に防止できるという利点がある。
【図面の簡単な説明】
【００１５】
【図１】本発明に係る金属製オープンペール缶を例示し、（ａ）は１８Ｌ型オープンペール缶の側面図、（ｂ）は１２Ｌ型オープンペール缶の側面図である。
【図２】同オープンペール缶に用いる把手取付金具を示し、（ａ）は正面図、（ｂ）は（ａ）におけるＸ−Ｘ線の断面図である。
【図３】同オープンペール缶に用いる緩衝部材の斜視図である。
【図４】同緩衝部材を把手取付金具に装着した状態を示し、（ａ）は正面図、（ｂ）は（ａ）縦断側面図である。
【図５】同オープンペール缶の缶本体同士を入れ子式に積み重ねた状態を示す要部の縦断側面図である。
【図６】同オープンペール缶に用いる緩衝部材の他の形態を示す正面図である。
【図７】同他の形態の緩衝部材を把手取付金具に装着した状態を示す正面図である。
【図８】従来の金属製オープンペール缶を例示し、（ａ）はラグタイプの斜視図、（ｂ）はバンドタイプの斜視図である。
【図９】同従来の金属製オープンペール缶の缶本体同士を入れ子式に積み重ねた状態を示し、（ａ）は側面図、（ｂ）は要部の縦断側面図である。
【図１０】改良型の金属製オープンペール缶の缶本体同士を入れ子式に積み重ねた状態を示し、（ａ）は側面図、（ｂ）は要部の縦断側面図である。
【発明を実施するための形態】
【００１６】
以下に、本発明に係る金属製オープンペール缶の実施形態について、図面を参照して具体的に説明する。なお、実施形態において、既述した従来品及び改良品のオープンペール缶と共通する部分には、形状及びサイズの違いがあっても同一符号を付している。
【００１７】
図１（ａ）は本発明に係る２５Ｌ型オープンペール缶Ｐ１の、図１（ｂ）は同１２Ｌ型オープンペール缶Ｐ２の、それぞれ缶本体１を示す。これらの缶本体１は、従来品と同様にブリキ、ティンフリースチール、ステンレス鋼等の金属板を円筒状に曲げ加工して端部同士をシーム溶接し、得られる胴部１１の下端に円板状の地板１２を巻締め固着したものである。そして、該缶本体１の開口周縁は外側へ巻き込むカール部１３をなし、胴部１１の上部側の径方向両側位置には、蔓形把手３を取り付けるための帽子形の把手取付金具４がスポット溶接等で固着され、これら把手取付金具４の固着位置よりも上位に、周方向に沿って外側へ膨出する１本の環状ビード部１１ａが形成されているが、従来品とは異なって同固着位置よりも下位側には同様な環状ビード部を有さず、また各把手取付金具４の下面側には合成樹脂又は合成ゴム成形物からなる緩衝部材５が装着される。なお、該缶本体１は、既述のＴ型（テーパペール型）として、胴部１１の環状ビード部１１ａよりも下位側が下方へ縮径している。
【００１８】
把手取付金具４は、図２（ａ）（ｂ）に示すように、略円形のカップ部４ａの開放縁より左右外側へ張出する溶接用鍔部４ｂを有し、カップ部４ａの中央に円形の差込み穴４１を備えると共に、各溶接用鍔部４ｂの上下二箇所に皺寄り状のスポット溶接部４２，４２を設けている。また、カップ部４ａの開放縁の上下両側は、缶本体１の胴部１１の円周面に沿うように凹円弧状をなすが、更に曲率の大きい中央の凹円弧部４３により、図２（ｂ）の仮想線で示す胴部１１の外周面との間に略三日月状の隙間ｔが構成されている。
【００１９】
緩衝部材５は、図３に示すように、湾曲した帯板状の緩衝カバー部５１と、その片側側縁の中央部より湾曲凹側へ立ち上げ形成された係止突片５２とからなる。その係止突片５２は、先端側が三角状に尖った形になっており、把手取付金具４の下側で缶本体１の胴部１１との間に構成される隙間ｔに対して、三角状の先端側を除いた幅及び厚みが僅かに入り込めないサイズに設定されている。そして、この緩衝部材５は、図１（ａ）（ｂ）の矢印で示すように、その合成樹脂又はゴム材料の弾力性を利用して、係止突片５２を該隙間ｔから把手取付金具４の内側へ強制挿嵌することにより、図４（ａ）（ｂ）に示すように、緩衝カバー部５１が把手取付金具４のカップ部４ａの下面側を覆うように係着される。なお、緩衝部材５の緩衝カバー部５１の厚みは、０．５〜３ｍｍ程度に設定される。
【００２０】
蔓形把手３は、従来品と同様に、略半円弧状に湾曲した針金材３１の中間部に、木製やプラスチック製の円筒状の握り３２が嵌装されており、図４（ａ）（ｂ）に示すように、針金材３１の両端のフック部３１ａ，３１ａを各々把手取付金具４の差込み穴４１に挿嵌することで、該缶本体１に対して上下回動自在に取り付けられている。また、図示を省略しているが、これらオープンペール缶Ｐ１，Ｐ２の缶本体１に対しては、ラグタイプやバンドタイプとして従来同様の缶蓋（図８で示す符号２Ａ，２Ｂ）が嵌着される。
【００２１】
上記構成のオープンペール缶Ｐ１，Ｐ２では、空状態での搬送や保管に際し、缶本体１と缶蓋を別にして積み重ねるが、缶本体１はＴ型（テーパペール型）として胴部１１が下方へ縮径しているので上下に入れ子式に積み重ねることになる。そして、この缶本体１同士の入れ子式の積み重ねでは、既述の改良品として例示したように、該缶本体１における把手取付金具４の固着位置よりも下位側には外側へ膨出する環状ビード部がないため、上位側の缶本体１の両側の把手取付金具４が下位側の缶本体１のカール部１３上に載る形になり、缶重量が上位側から順次に両側の把手取付金具４を介して下位の缶本体１のカール部１３に負荷する。しかるに、図５に示すように、上位側の缶本体１の両側把手取付金具４，４と下位側の缶本体１のカール部１３との間には、それぞれ緩衝部材５の帯板状の緩衝カバー部５１が介在するから、該カール部１３の凹み変形が防止されると共に、その積重ね作業時にも各把手取付金具４が下位の缶本体１のカール部１３に直接に衝当しないから、その衝当に起因した該カール部１３の凹みや傷の発生が未然に防止される。
【００２２】
また、図６に示す缶本体１同士の積重ね状態では、既述した改良品のオープンペール缶Ｐ１３の図１０（ｂ）に示す缶本体１同士の積重ね状態に比較し、緩衝部材５の緩衝カバー部５１の厚み分だけ積重ね高さが増すが、該緩衝カバー部５１の厚みは０．５〜３ｍｍ程度と薄いから、例えば２０缶の積み重ねでも改良品の積重ね状態に対して僅か数ｃｍ高くなるだけで大差ない。従って、これらオープンペール缶Ｐ１，Ｐ２の缶本体１でも、例えば図９に示す従来品の積み重ね状態に対し、同じ高さスペースでの積重ね缶数が約５割増しになり、もって従来に比して缶数当りの輸送費を大幅に低減でき、また保管時のスペース効率も格段に向上する。
【００２３】
本発明で用いる緩衝部材５としては、緩衝カバー部５１及び係止突片５２の形状が種々異なるものを採用でき、例えば緩衝カバー部５１が把手取付金具４の下面側一部を覆うような短い平板状であっても差し支えない。しかるに、図３に例示した緩衝部材５のように、湾曲した帯板状の緩衝カバー部５１の片側側縁の中央部より係止突片５２が湾曲凹側へ立ち上がる形態では、該係止突片５２を前記隙間ｔに挿嵌するだけで容易に装着できると共に、緩衝カバー部５１が把手取付金具４のカップ部４ａの下面側に沿って配置するから、積重ね作業時に下位の缶本体１の内側に、上位の缶本体を多少傾いた姿勢で落とし込んでも、把手取付金具４が直接に下位の缶本体１のカール部１３に衝当する懸念はなく、該カール部１３の凹みや傷の発生をより確実に防止できるという利点がある。
【００２４】
なお、緩衝部材５自体は極めて軽量であるため、図３に例示した形態の係止突片５２を前記隙間ｔに強制挿嵌することで、その挿嵌部での摩擦力によって把手取付金具４から抜落しないように自己保持される。しかるに、より確実な抜落防止を図る上で、係止突片が二股状をなす形態としてもよい。例えば、図６に例示した緩衝部材５では、湾曲した帯板状の緩衝カバー部５１の片側側縁の中央部より、二股状の係止突片５３，５３が湾曲凹側へ先側を開いた形で立ち上げ形成されており、そのままでは両係止突片５３，５３は開き幅が大きいために前記隙間ｔに挿嵌できないが、図示仮想線のように緩衝カバー部５１の湾曲を強めて両係止突片５３，５３が閉じるように変形させることで、両係止突片５３，５３の先側幅が狭まって前記隙間ｔに挿嵌可能となるように寸法設定されており、その挿嵌後に手放すことにより、図７に示すように両係止突片５３，５３が材料弾性によって開いた状態に復元し、もって該隙間ｔから抜落不能となる。
【００２５】
また、実施形態として例示したオープンペール缶Ｐ１，Ｐ２のように、缶本体１における把手取付金具４の固着位置よりも上位側に環状ビード部１１ａを有する構成とすれば、該環状ビード部１１ａによる補強作用で管体としての強度が向上するという利点がある。また、実施形態では、缶本体１の胴部１１が環状ビード部１１ａより下側で下方へ縮径しているが、少なくとも把手取付金具４の固着位置よりも下位側が縮径しておればよく、カール部１３以下の胴部１１全体が下方へ縮径する形態でもよい。なお、環状ビード部１１ａは、上端のカール部１３と把手取付金具４との間に位置するから、缶本体１同士の入れ子式の積重ね状態で他と接触せずに外側へ露呈することになる。
【００２６】
その他、本発明においては、金属製オープンペール缶の容量、蔓形把手３のフック部３１ａの曲げ形状、把手取付金具４のカップ部４ａ及び溶接用鍔部４ｂの形状と溶接位置、隙間ｔの形状、カール部１３と把手取付金具４との間隔等、細部構成については実施形態以外に種々設計変更可能である。
【符号の説明】
【００２７】
１          缶本体
１１        胴部
１１ａ      環状ビード部
１３        カール部
３          蔓形把手
３１ａ      フック部
４          把手取付金具
４１        差込み穴
５          緩衝部材
５１        緩衝カバー部
５２，５３  係止突片
Ｐ１，Ｐ２  金属製オープンペール缶
ｔ          隙間
【図１】
0005961600.tif 000002
【図２】
0005961600.tif 000003
【図３】
0005961600.tif 000004
【図４】
0005961600.tif 000005
【図５】
0005961600.tif 000006
【図６】
0005961600.tif 000007
【図７】
0005961600.tif 000008
【図８】
0005961600.tif 000009
【図９】
0005961600.tif 000010
【図１０】
0005961600.tif 000011